(57)【要約】【課題】本発明は、従来にない画期的な酸素供給装置を提供することを目的とする。【解決手段】水生生物育成用の水溜め部Ｐに設けられる酸素供給装置であって、前記水溜め部Ｐの水面付近の水Ｗを水底側へ送る水搬送部１を有し、この水搬送部１は、下端部が前記水溜め部Ｐ内に配される筒状体３であり、前記筒状体３には、回転駆動源10により回転し外周に螺旋部２ａが設けられた回転軸部２が内装され、前記回転駆動源10により前記回転軸部２が回転することで、前記回転軸部２の外周に設けられた螺旋部２ａが回転し、前記水溜め部Ｐの水面付近の水Ｗを前記筒状体３内を通過させて該水溜め部Ｐの水底側へ搬送するように構成され、また、前記水搬送部１は水平面に対して所定角度Ｒの下向き傾斜状態で配されるように構成されたものである。【選択図】図１
2020178682.tif 000002
【特許請求の範囲】
【請求項１】
水生生物育成用の水溜め部に設けられる酸素供給装置であって、前記水溜め部の水面付近の水Ｗを水底側へ送る水搬送部を有し、この水搬送部は、下端部が前記水溜め部内に配される筒状体であり、前記筒状体には、回転駆動源により回転し外周に螺旋部が設けられた回転軸部が内装され、前記回転駆動源により前記回転軸部が回転することで、前記回転軸部の外周に設けられた螺旋部が回転し、前記水溜め部の水面付近の水を前記筒状体内を通過させて該水溜め部の水底側へ搬送するように構成され、また、前記水搬送部は水平面に対して所定角度の下向き傾斜状態で配されるように構成されていることを特徴とする酸素供給装置。
【請求項２】
請求項１記載の酸素供給装置において、前記水搬送部は上部に基体を有し、この基体に前記回転駆動源が設けられていることを特徴とする酸素供給装置。
【請求項３】
請求項１，２いずれか１項に記載の酸素供給装置において、この酸素供給装置は前記水溜め部の水面に浮くように構成されていることを特徴とする酸素供給装置。
【請求項４】
請求項１〜３いずれか１項に記載の酸素供給装置において、前記水搬送部は水平面に対して約２５〜６０度の下向き傾斜状態で配されるように構成されていることを特徴とする酸素供給装置。
【請求項５】
請求項１〜４いずれか１項に記載の酸素供給装置において、前記回転軸部の下端部にはスクリュー部が設けられていることを特徴とする酸素供給装置。
【請求項６】
請求項１〜５いずれか１項に記載の酸素供給装置において、前記回転駆動源により回転する回転体を有し、この回転体は、回転することで前記水溜め部の水面付近の水を掻いて泡立てるように構成されていることを特徴とする酸素供給装置。
【請求項７】
請求項６記載の酸素供給装置において、前記回転体は板状体であり、この回転体には多数の孔が設けられており、また、この回転体には一部が折曲されて形成される折曲部が設けられていることを特徴とする酸素供給装置。
【請求項８】
請求項１〜７いずれか１項に記載の酸素供給装置において、前記回転駆動源は風車であることを特徴とする酸素供給装置。
【請求項９】
請求項１〜７いずれか１項に記載の酸素供給装置において、前記回転駆動源は電気モーターであることを特徴とする酸素供給装置。
【請求項１０】
請求項９記載の酸素供給装置において、前記水溜め部の上部には電気を供給する主電線が設けられ、この主電線から分岐される分岐電線が前記電気モーターに連設されていることを特徴とする酸素供給装置。
【請求項１１】
請求項１〜１０いずれか１項に記載の酸素供給装置において、前記水搬送部で搬送する前記水溜め部の水面付近の水若しくは前記水搬送部内の水に空気を供給するコンプレッサーを有することを特徴とする酸素供給装置。
【請求項１２】
請求項１〜１１いずれか１項に記載の酸素供給装置において、前記水搬送部で搬送する前記水溜め部の水面付近の水若しくは前記水搬送部内の水に微細な気泡を発生させる下記の微細気泡発生部が設けられていることを特徴とする酸素供給装置。
記
電極間に電圧を印加して放電による電気分解により微細な気泡を発生する微細気泡発生部。
【発明の詳細な説明】
【技術分野】
【０００１】
本発明は、水生生物育成用の水溜め部に設けられる酸素供給装置に関するものである。
【背景技術】
【０００２】
本出願人は、池や湖や海などの水生生物育成用の水溜め部に設けられる酸素供給装置として、特開２０１９−１００５１号に開示される酸素供給装置（以下、従来例という）を提案している。
【０００３】
この従来例は、水溜め部の水を水面より上方まで汲み上げる水汲み上げ部と、この水汲み上げ部で汲み上げられた水を空気と接触させる空気接触部を介して水溜め部に戻す水戻し部とを有し、水汲み上げ部は、上部に回転駆動源を有し周面に螺旋凹溝が設けられた回転軸部と、この回転軸部に被嵌し下端部が水溜め部の水内に配される筒状部とから成り、回転駆動源により回転軸部が回転した際、回転軸部の周面に設けられた螺旋凹溝により水溜め部の水を筒状部内を通過させて汲み上げるように構成されたものであり、水汲み上げ部により水溜め部の水を水面より上方まで汲み上げ、この水汲み上げ部で汲み上げた水を空気接触部を介して水戻し部により水溜め部に戻すものである。
【０００４】
従って、酸素濃度が低くなる水溜め部の水底側の水を汲み上げ、この汲み上げた水を直ちに水溜め部に戻すのではなく、空気接触部を介して戻すから、汲み上げた水は十分空気を含んだ状態となり、よって、水溜め部の水に酸素を良好に供給することができる。
【先行技術文献】
【特許文献】
【０００５】
【特許文献１】特開２０１９−１００５１号公報
【発明の概要】
【発明が解決しようとする課題】
【０００６】
本発明者は、前述した酸素供給装置について更なる研究・開発を進め、その結果、従来にない画期的な酸素供給装置を開発した。
【課題を解決するための手段】
【０００７】
添付図面を参照して本発明の要旨を説明する。
【０００８】
水生生物育成用の水溜め部Ｐに設けられる酸素供給装置であって、前記水溜め部Ｐの水面付近の水Ｗを水底側へ送る水搬送部１を有し、この水搬送部１は、下端部が前記水溜め部Ｐ内に配される筒状体３であり、前記筒状体３には、回転駆動源10により回転し外周に螺旋部２ａが設けられた回転軸部２が内装され、前記回転駆動源10により前記回転軸部２が回転することで、前記回転軸部２の外周に設けられた螺旋部２ａが回転し、前記水溜め部Ｐの水面付近の水Ｗを前記筒状体３内を通過させて該水溜め部Ｐの水底側へ搬送するように構成され、また、前記水搬送部１は水平面に対して所定角度Ｒの下向き傾斜状態で配されるように構成されていることを特徴とする酸素供給装置に係るものである。
【０００９】
また、請求項１記載の酸素供給装置において、前記水搬送部１は上部に基体６を有し、この基体６に前記回転駆動源10が設けられていることを特徴とする酸素供給装置に係るものである。
【００１０】
また、請求項１，２いずれか１項に記載の酸素供給装置において、この酸素供給装置Ｘは前記水溜め部Ｐの水面に浮くように構成されていることを特徴とする酸素供給装置に係るものである。
【００１１】
また、請求項１〜３いずれか１項に記載の酸素供給装置において、前記水搬送部１は水平面に対して約２５〜６０度の下向き傾斜状態で配されるように構成されていることを特徴とする酸素供給装置に係るものである。
【００１２】
また、請求項１〜４いずれか１項に記載の酸素供給装置において、前記回転軸部２の下端部にはスクリュー部４が設けられていることを特徴とする酸素供給装置に係るものである。
【００１３】
また、請求項１〜５いずれか１項に記載の酸素供給装置において、前記回転駆動源10により回転する回転体７を有し、この回転体７は、回転することで前記水溜め部Ｐの水面付近の水Ｗを掻いて泡立てるように構成されていることを特徴とする酸素供給装置に係るものである。
【００１４】
また、請求項６記載の酸素供給装置において、前記回転体７は板状体であり、この回転体７には多数の孔７ａが設けられており、また、この回転体７には一部が折曲されて形成される折曲部５が設けられていることを特徴とする酸素供給装置に係るものである。
【００１５】
また、請求項１〜７いずれか１項に記載の酸素供給装置において、前記回転駆動源10は風車であることを特徴とする酸素供給装置に係るものである。
【００１６】
また、請求項１〜７いずれか１項に記載の酸素供給装置において、前記回転駆動源10は電気モーターであることを特徴とする酸素供給装置に係るものである。
【００１７】
また、請求項９記載の酸素供給装置において、前記水溜め部Ｐの上部には電気を供給する主電線25が設けられ、この主電線25から分岐される分岐電線26が前記電気モーター10に連設されていることを特徴とする酸素供給装置に係るものである。
【００１８】
また、請求項１〜１０いずれか１項に記載の酸素供給装置において、前記水搬送部１で搬送する前記水溜め部Ｐの水面付近の水Ｗ若しくは前記水搬送部１内の水Ｗに空気を供給するコンプレッサー29を有することを特徴とする酸素供給装置に係るものである。
【００１９】
また、請求項１〜１１いずれか１項に記載の酸素供給装置において、前記水搬送部１で搬送する前記水溜め部Ｐの水面付近の水Ｗ若しくは前記水搬送部１内の水Ｗに微細な気泡を発生させる下記の微細気泡発生部20が設けられていることを特徴とする酸素供給装置に係るものである。                                                                
記
電極20ａ，20ｂ間に電圧を印加して放電による電気分解により微細な気泡を発生する微細気泡発生部18。
【発明の効果】
【００２０】
本発明は上述のように構成したから、水溜め部の水底側に酸素を確実且つ良好に供給することができるなど、従来に無い画期的な酸素供給装置となる。
【図面の簡単な説明】
【００２１】
【図１】実施例１を示す斜視図である。
【図２】実施例１の要部を説明する断面図である。
【図３】実施例１の要部を説明する断面図である。
【図４】実施例１の要部を説明する斜視図である。
【図５】実施例１の使用状態説明図である。
【図６】実施例１の使用状態説明図である。
【図７】実施例１の使用状態説明図である。
【図８】実施例２の使用状態説明図である。
【図９】実施例２の要部を説明する部分拡大図である。
【図１０】実施例２の要部を説明する断面図である。
【図１１】実施例２の別構成例の使用状態説明図である。
【図１２】実施例２の別構成例の使用状態説明図である。
【図１３】実施例２の別構成例の使用状態説明図である。
【発明を実施するための形態】
【００２２】
好適と考える本発明の実施形態を、図面に基づいて本発明の作用を示して簡単に説明する。
【００２３】
水搬送部１により水溜め部Ｐの水面付近の水Ｗを水底側へ送る。
【００２４】
従って、酸素濃度が低くなる水溜め部Ｐの水底側へ酸素量の豊富な水面付近の水Ｗを搬送することができ、よって、水溜め部Ｐを水生生物を育成するに適した環境にすることができる。
【００２５】
また、本発明は、水搬送部１は水平面に対して所定角度Ｒの下向き傾斜状態で配されるように構成されており、仮に水搬送部１が鉛直状態だった場合に比して回転軸部２に掛かる負荷が少ない為、比較的力の少ない回転駆動源10でも確実に回転させることができ、しかも、簡易構造故にコスト安にして量産性に秀れることになる。
【実施例】
【００２６】
＜実施例１＞
実施例１について図面に基づいて説明する。
【００２７】
本実施例は、水生生物育成用の水溜め部Ｐに設けられる酸素供給装置Ｘであって、水溜め部Ｐの水面付近の水Ｗを水底側へ送る水搬送部１を有し、この水搬送部１は、上部に基体６を有し下端部が水溜め部Ｐ内に配される筒状体３であり、基体６には回転駆動源10が設けられ、また、筒状体３には、外周に螺旋部２ａが設けられた回転軸部２が内装され、回転駆動源10により回転軸部２が回転することで、回転軸部２の外周に設けられた螺旋部２ａが回転し、水溜め部Ｐの水面付近の水Ｗを筒状体３内を通過させて該水溜め部Ｐの水底側へ搬送するように構成されたものである。
【００２８】
尚、本実施例では、水溜め部Ｐとして水生生物（例えば魚類、甲殻類など）を育成する溜め池（水深約１・５ｍの養鯉池）を対象としているが、湖や海などでも良く、また、水面付近とは、水面から水深約５０ｍ位の酸素量の豊富な水域を指す意味であり、水底側とは、水面付近の水域よりも深い水域を指す意味であって底面付近だけを指す意味ではない。
【００２９】
以下、本実施例に係る構成各部について詳細な説明をする。
【００３０】
基体６は、図１，２に図示したように適宜な金属製の部材（ステンレス）で形成した枠状体であり、その中央位置には後述する回転駆動源10の回転軸10ｃが立てた状態で回転自在に設けられ、この回転軸10ｃの下端部には、後述する傘歯車構造部（ベベルギヤ）を構成する歯車部材11が設けられている。
【００３１】
また、基体６の下部には水Ｗに浮く浮体８が設けられている。
【００３２】
この浮体８は、図１，２に図示したように適宜な合成樹脂製の部材（発泡樹脂）で形成された方形環状体であり、その浮力は、基体６と後述する水搬送部１及び回転駆動源10等を上部に設けた状態で水Ｗに浮く浮力に設定されている。
【００３３】
従って、本実施例に係る酸素供給装置Ｘは水溜め部Ｐの水面に浮くことになる。
【００３４】
尚、浮体８の構造は浮き輪のような中空体でも良く、水溜め部Ｐの水面に酸素供給装置Ｘが浮く構成であれば良い。また、酸素供給装置Ｘは水溜め部Ｐの周辺の陸上に固定された構成でも良い。
【００３５】
回転軸部２は、図１，２に図示したように適宜な金属製の部材（ステンレス）で形成された所定長（約２ｍ）を有する棒状体であり、周面に螺旋部２ａ（螺旋凹溝）が設けられ、基体６に固定される筒状体３内に回転自在に軸受される。尚、回転軸部２は合成樹脂製でも良い。
【００３６】
この回転軸部２の上端部には、回転駆動源10（回転軸10ｃ）に設けられる歯車部材11に歯合して傘歯車構造部（ベベルギヤ）を構成する歯車部材９が設けられている。
【００３７】
従って、回転軸部２と回転軸10ｃとは互いに軸心同士が交叉する状態（本実施例では約３０度に傾斜した状態）で連設することになる。
【００３８】
また、回転軸部２は、周面所定領域に螺旋部２ａが設けられている。
【００３９】
本実施例では、この螺旋部２ａを回転軸部２の周面に螺旋凹溝を設けて構成されており、この螺旋部２ａは、回転駆動源10により回転軸部２が回転した際、筒状体３内の水Ｗが下降するように構成されている。
【００４０】
また、回転軸部２の下端部には複数の羽根４ａから成るスクリュー部４が設けられている。
【００４１】
従って、このスクリュー部４の回転により、該スクリュー部４（筒状体３の水導出部３ｂ）周辺に後方への水流が発生し、水搬送部１（筒状体３内）の水を下方へ引き込む力となる為、このスクリュー部４の存在によっても水搬送部１における良好な水搬送が達成されることになり、しかも、後述するように本実施例に係る酸素供給装置Ｘを移動させる推進力となり水溜め部Ｐを移動しながら酸素を供給することができる。
【００４２】
尚、この回転軸部２の周面に設けられる螺旋部２ａとしては、本実施例のように一本の螺旋凹溝から成る螺旋羽根が連続する構造でなく、例えば、螺旋羽根が断続的に設けられた構造でも良く、筒状体３内にて水Ｗを搬送し得る螺旋面を有する構造であれば適宜採用し得るものである。
【００４３】
筒状体３は、図１，２に図示したように金属製の部材（ステンレス）で形成された所定長を有する円筒形状体であり、基体６の下部に固定される。尚、筒状体３は合成樹脂製でも良く、また、前述した回転軸部２及びこの筒状体３を伸縮自在な構造としても良い。
【００４４】
この筒状体３は、回転軸部２に被嵌状態に設けられ、その内面が回転軸部２の外面と可及的に接近した状態で設けられている。
【００４５】
また、筒状体３には、上端部周面に貫通孔から成る水導入部３ａが周方向に複数設けられ、下端部に貫通孔から成る水導出部３ｂが周方向に複数設けられている。
【００４６】
また、本実施例では、水搬送部１は水平面に対して所定角度Ｒの下向き傾斜状態で設けられている。
【００４７】
具体的には、水搬送部１は水平面に対して約２５〜６０度の下向き傾斜状態で配されるように構成されている。
【００４８】
この角度は、酸素濃度が低くなる水溜め部Ｐの水底側へ酸素量の豊富な水面付近の水Ｗを良好に搬送することができ、また、水Ｗの抵抗を受けながら回転する回転軸部２に掛かる負荷がなるべく少なくなるよう考慮された角度である。
【００４９】
即ち、この角度が２５度よりも小さいと、酸素量の豊富な水帯に酸素量の豊富な水を放出することになってしまい意味をなさず、一方、この角度が６０度よりも大きいと、回転駆動源10等の装置への負荷が大きくなってしまい、また、酸素供給装置Ｘを移動させる際のエネルギー（推進力）のバランスが悪くなり、良好に作動できない（機器のメリットが低くなる）という問題点が生じてしまう。
【００５０】
従って、水搬送部１は水平面に対して約２５〜６０度の下向き傾斜状態で配されるように構成され、本実施例では、この水搬送部１の角度は試した結果最適と思われる約３０度に設定されている。
【００５１】
尚、本実施例では、筒状体３は上端部が水溜め部Ｐ内に配される構成（全て水没する構成）としたが、後述する実施例２のように筒状体３の上端部は水溜め部Ｐ内に配されない構成としても良い。
【００５２】
回転駆動源10は、図１，２に図示したように適宜な金属製の部材（ステンレス）で形成したものであり、上下に配される円形状の回転板状部材10ａと、この上下の回転板状部材10ａの間に架設される一対の羽根部材10ｂと、上下の回転板状部材10ａの中心間に架設され基体６に軸支される回転軸10ｃとで構成された風力回転構造体（風車）である。
【００５３】
本実施例では、風力回転構造体（風車）として羽根部材10ｂが平断面視円弧形状となるサボニウス型風車であり、羽根部材10ｂは、図３に図示したように回転軸10ｃを間に介した対向位置に互いに湾曲内面が向き合う状態（各羽根部材10ｂが回転方向に対して凸湾曲する状態）で設けられている。
【００５４】
また、本実施例では、一対の羽根部材10ｂ同士の間に一対の補助羽根部材10ｂ’を設けており、この補助羽根部材10ｂ’を設けることでより効率の良い回転が達成される。
【００５５】
従って、回転駆動源10は、風力エネルギーを利用して回転するものであり、サボニウス型風車を採用することでどの方向からの風も回転することができる。
【００５６】
尚、回転駆動源10は太陽光エネルギー（太陽電池モジュール備えた太陽光発電システム）を利用して作動するモーターでも、化石燃料エンジンでも良い。
【００５７】
また、回転駆動源10の下部には該回転駆動源10により回転する回転体７が設けられている。
【００５８】
この回転体７は、図１，２，４に図示したように下方の回転板状部材10ａの下部に連結され該回転板状部材10ａと共に回転する金属製（ステンレス製）の環状の板状体（多数の孔７ａを有するドーナツ形状のパンチングメタル）である。
【００５９】
また、この回転体７の所定箇所（９０度間隔）に一部が下方へ折曲されて形成（切り起こし形成）される折曲部５が設けられている。
【００６０】
本実施例では、折曲部５を約４５度の角度で設けているが、３０度〜６０度の角度であれば良い（９０度だと水Ｗ内で回転させた際の大きな抵抗となるため望ましくない。）。
【００６１】
尚、折曲部５は上方に折曲して形成（切り起こし形成）することで設けても良い。
【００６２】
従って、回転体７は、本実施例に係る酸素供給装置を水溜め部Ｐに浮かせることで水Ｗ内に配され、回転駆動源10により回転体７が回転することで折曲部５及び孔７ａにより水溜め部Ｐの水面付近の水Ｗを掻いて泡立てる（水Ｗに酸素が付与される）ことになる。
【００６３】
以上の構成から成る本実施例に係る酸素供給装置Ｘの使用状態について説明する。
【００６４】
尚、本実施例では、図７に図示したように水溜め部Ｐに設けた杭12に連結される連結部材13に酸素供給装置Ｘを係留した状態としている。
【００６５】
酸素供給装置Ｘを水溜め部Ｐに浮かせた状態とすると、水搬送部１は水Ｗに浸かり、筒状体３の水導入部３ａは水溜め部Ｐの水面付近に位置し、水導出部３ｂは水底側に位置することになり、この水導入部３ａや水導出部３ｂから筒状体３内に水Ｗが入る。尚、回転体７も水Ｗに浸かった状態となる。
【００６６】
この状態で風が吹いて回転駆動源10が作動（風車が回転）すると回転軸10ｃが回転し、この回転軸10ｃに連設される回転軸部２が回転することで、該回転軸部２の外周に設けられた螺旋部２ａにより筒状体３内の水Ｗが降下し、その後は水導入部３ａから水Ｗが導入して筒状体３内を降下した水Ｗは水導出部３ｂから導出される（図６参照）。つまり、水溜め部Ｐの水面付近の水Ｗは筒状体３内を通過して該水溜め部Ｐの水底側へ搬送される。
【００６７】
この際、回転体７（折曲部５及び孔７ａ）により筒状体３内に導入される水面付近の水Ｗは泡立って酸素濃度が高くなる。
【００６８】
また、スクリュー部４が回転することで、このスクリュー部４の回転により、該スクリュー部４（筒状体３の水導出部３ｂ）周辺に後方への水流が発生し、水搬送部１（筒状体３内）の水を下方へ引き込む力となる為、このスクリュー部４の存在によっても水搬送部１における良好な水搬送が達成されることになり、しかも、酸素供給装置Ｘを移動させる推進力となり水溜め部Ｐを移動しながら酸素を供給することができる（図７参照）。
【００６９】
よって、本実施例によれば、酸素濃度が低い水溜め部Ｐの水底側へ酸素量の高い水面付近の水Ｗを搬送することができ、よって、水溜め部Ｐを水生生物を育成するに適した環境にすることができる。
【００７０】
また、本実施例は、水搬送部１は、上部に基体６を有し下端部が水溜め部Ｐ内に配される筒状体３であり、基体６には回転駆動源10が設けられ、また、筒状体３には、外周に螺旋部２ａが設けられた回転軸部２が内装され、回転駆動源10により回転軸部２が回転することで、回転軸部２の外周に設けられた螺旋部２ａが回転し、水溜め部Ｐの水面付近の水Ｗを筒状体３内を通過させて該水溜め部Ｐの水底側へ搬送するように構成されているから、酸素濃度が低くなる水溜め部Ｐの水底側へ酸素量の豊富な水面付近の水Ｗを確実に搬送することができる。
【００７１】
また、本実施例は、水搬送部１は水平面から所定角度Ｒの傾斜状態で配されるように構成されており、仮に水搬送部１が鉛直状態だった場合に比して回転軸部２に掛かる負荷が少ない為、比較的力の少ない回転駆動源10でも確実に回転させることができ、しかも、簡易構造故にコスト安にして量産性に秀れることになる。
【００７２】
また、本実施例は、酸素供給装置Ｘは水溜め部Ｐの水面に浮くように構成されているから、水溜め部Ｐの任意の位置へ酸素供給装置Ｘを配することができる。
【００７３】
また、本実施例は、水搬送部１は水平面に対して約２５〜６０度の下向き傾斜状態で設けられているから、前述した作用効果を確実に奏することになる。
【００７４】
また、本実施例は、回転軸部２の下端部にはスクリュー部４が設けられているから、より一層水Ｗを下方へ良好に搬送することができ、しかも、水溜め部Ｐ内を移動しながら水Ｗに酸素を供給することができる。
【００７５】
また、本実施例は、回転駆動源10により回転する回転体７を有し、この回転体７は、回転することで前記水溜め部Ｐの水面付近の水Ｗを掻いて泡立てるように構成されているから、より一層酸素濃度の高い水Ｗを水底側に供給することができる。
【００７６】
また、本実施例は、回転体７は板状体であり、この回転体７には多数の孔７ａが設けられており、また、この回転体７には一部が折曲されて形成される折曲部５が設けられているから、水Ｗを泡立てることが確実且つ良好に行われることになる。
【００７７】
また、本実施例は、回転駆動源10は風車であるから、インフラの無い地域でも使用することができる。
【００７８】
＜実施例２＞
実施例２について図面に基づいて説明する。
【００７９】
本実施例は、水生生物育成用の水溜め部Ｐに設けられる酸素供給装置Ｘであって、水溜め部Ｐの水面付近の水Ｗを水底側へ送る水搬送部１を有し、この水搬送部１は、下端部が水溜め部Ｐ内に配される筒状体３であり、筒状体３には、回転駆動源10により回転し外周に螺旋部２ａが設けられた回転軸部２が内装され、回転駆動源10により回転軸部２が回転することで、回転軸部２の外周に設けられた螺旋部２ａが回転し、水溜め部Ｐの水面付近の水Ｗを筒状体３内を通過させて該水溜め部Ｐの水底側へ搬送するように構成されたものである。
【００８０】
以下、本実施例に係る構成各部について詳細な説明をする。
【００８１】
水搬送部１は基体15に設けられている。
【００８２】
この基体15は、図８に図示したように適宜な合成樹脂製の部材で形成した天板付きの箱状体であり、その底部に水搬送部１が設けられている。
【００８３】
また、基体15の下部には水Ｗに浮く浮体16が設けられている。
【００８４】
この浮体16は、図８に図示したように適宜な合成樹脂製の部材（発泡樹脂）で形成された方形環状体であり、その浮力は、基体15と後述する水搬送部１及び回転駆動源10等を上部に設けた状態で水Ｗに浮く浮力に設定されている。
【００８５】
従って、本実施例に係る酸素供給装置Ｘは水溜め部Ｐの水面に浮くことになる。
【００８６】
尚、浮体16の構造は浮き輪のような中空体でも良く、水溜め部Ｐの水面に酸素供給装置Ｘが浮く構成であれば良い。また、酸素供給装置Ｘは水溜め部Ｐの周辺の陸上に固定された構成でも良い。
【００８７】
また、本実施例は、基体15の上部には受光部で受光した太陽光を電気に変換する太陽光モジュール17が設けられ、この太陽光モジュール17で得られた電気はバッテリー18にて蓄電され、このバッテリー18から回転駆動源10としての電気モーターに電気が供給される。
【００８８】
この回転駆動源10（電気モーター）の駆動軸10ｄは筒状体３内に回転自在に軸受され、その先端が回転軸部２に連設されている。符号19はパッキン機能を有する軸受である。
【００８９】
尚、回転駆動源10は、前述したように太陽光エネルギー（太陽電池モジュール備えた太陽光発電システム）を利用して作動するモーターの他、化石燃料エンジンでも良い。
【００９０】
回転軸部２は、図８に図示したように適宜な金属製の部材（ステンレス）で形成された所定長を有する棒状体であり、周面に螺旋部２ａ（螺旋凹溝）が設けられ、その基端が回動駆動源10の駆動軸10ｄの先端に連設されている。尚、回転軸部２は合成樹脂製でも良い。
【００９１】
また、回転軸部２は、周面所定領域に螺旋部２ａが設けられている。
【００９２】
本実施例では、この螺旋部２ａを回転軸部２の周面に螺旋凹溝を設けて構成されており、この螺旋部２ａは、回転駆動源10により回転軸部２が回転した際、筒状体３内の水Ｗが下降するように構成されている。
【００９３】
また、回転軸部２の下端部には複数の羽根４ａから成るスクリュー部４が設けられている。
【００９４】
従って、このスクリュー部４の回転により、該スクリュー部４（筒状体３の水導出部３ｂ）周辺に後方への水流が発生し、水搬送部１（筒状体３内）の水を下方へ引き込む力となる為、このスクリュー部４の存在によっても水搬送部１における良好な水搬送が達成されることになり、しかも、本実施例に係る酸素供給装置Ｘを移動させる推進力となり水溜め部Ｐを移動しながら酸素を供給することができる。
【００９５】
尚、この回転軸部２の周面に設けられる螺旋部２ａとしては、本実施例のように一本の螺旋凹溝から成る螺旋羽根が連続する構造でなく、例えば、螺旋羽根が断続的に設けられた構造でも良く、筒状体３内にて水Ｗを搬送し得る螺旋面を有する構造であれば適宜採用し得るものである。
【００９６】
筒状体３は、図８に図示したように合成樹脂製の部材（塩ビ管）で形成された所定長を有する円筒形状体であり、基体15の下部に固定される。尚、筒状体３は金属製でも良く、また、前述した回転軸部２及びこの筒状体３を伸縮自在な構造としても良い。
【００９７】
この筒状体３は、回転軸部２に被嵌状態に設けられ、その内面が回転軸部２の外面と可及的に接近した状態で設けられている。
【００９８】
また、筒状体３には、上端側周面に貫通孔から成る水導入部３ａが周方向に複数設けられ、下端部に貫通孔から成る水導出部３ｂが周方向に複数設けられている。
【００９９】
また、本実施例では、水搬送部１は水平面に対して所定角度Ｒの下向き傾斜状態で設けられている。
【０１００】
具体的には、実施例１と同様、水搬送部１は水平面に対して約２５〜６０度の下向き傾斜状態で配されるように構成されている。この角度は、水Ｗの抵抗を受けながら回転する回転軸部２に掛かる負荷がなるべく少なくなるよう考慮された角度であり、本実施例では、約３０度に設定されている。
【０１０１】
尚、本実施例では、筒状体３の上端部は水溜め部Ｐ内に配されない構成としている。
【０１０２】
また、本実施例は、水搬送部１で搬送する水溜め部Ｐの水面付近の水Ｗ若しくは水搬送部１内の水Ｗに微細な気泡（マイクロバブル）を発生させる微細気泡発生部20を設けている。
【０１０３】
具体的には、この微細気泡発生部20は、図８に図示したように基体16の下面に設けられ多数の通水孔21ａを有するケース体21内に、間隔を介して対設される電極20ａ，20ｂ（プラス電極とマイナス電極）間に電圧を印加して放電による電気分解により微細な気泡を発生する微細気泡発生体20’を複数設けて構成されている。
【０１０４】
各微細気泡発生体20’は、図９に図示したように一対の金属製ネットから成る電極20ａ，20ｂと、この電極20ａ，20ｂ間に配されるショート防止用のネット状の無通電性部材20ｃとで構成されており、この電極20ａ，20ｂを適宜な間隔（０．０１ｍｍ〜５ｍｍ）を介して対向位置に配している。
【０１０５】
従って、この微細気泡発生部20から筒状体３の外部にして水溜め部Ｐの水面付近の水Ｗに微細気泡を発生することができる。
【０１０６】
また、この微細気泡発生部20から発生する微細気泡（マイクロバブル）を含んだ水は、酸素の溶存酸素量が多く、溶解度が遅く、水生生物（例えば魚）の生育が良好となり、多くの水生生物を育成することができる。
【０１０７】
図10は微細気泡発生部20を水搬送部１を構成する筒状体３の内部に設けた場合（電極20ａ，20ｂ及び無通電性部材20ｃから成る微細気泡発生体20’を筒状とした場合）であり、図８に図示したように筒状体３の外部にして水溜め部Ｐの水面付近の水Ｗに微細気泡を供給する場合と図10に図示したように筒状体３の内部の水Ｗに微細気泡を供給する場合のいずれか一方としても良いし、双方としても良い。
【０１０８】
以上の構成から成る本実施例に係る酸素供給装置Ｘの使用状態について説明する。
【０１０９】
酸素供給装置Ｘを水溜め部Ｐに浮かせた状態とすると、水搬送部１は水Ｗに浸かり、筒状体３の水導入部３ａは水溜め部Ｐの水面付近に位置し、水導出部３ｂは水底側に位置することになり、この水導入部３ａや水導出部３ｂから筒状体３内に水Ｗが入る。
【０１１０】
この状態で電気が供給されて回転駆動源10（電気モーター）が作動すると回転軸10ｄが回転し、この回転軸10ｄに連設される回転軸部２が回転することで、該回転軸部２の外周に設けられた螺旋部２ａにより筒状体３内の水Ｗが降下し、その後は水導入部３ａから水Ｗが導入して筒状体３内を降下した水Ｗは水導出部３ｂから導出される（図８参照）。つまり、水溜め部Ｐの水面付近の水Ｗは筒状体３内を通過して該水溜め部Ｐの水底側へ搬送される。
【０１１１】
この際、微細気泡発生部20により筒状体３内に導入される水面付近の水Ｗに微細気泡が発生して酸素濃度が高くなる。
【０１１２】
また、スクリュー部４が回転することで、このスクリュー部４の回転により、該スクリュー部４（筒状体３の水導出部３ｂ）周辺に後方への水流が発生し、水搬送部１（筒状体３内）の水を下方へ引き込む力となる為、このスクリュー部４の存在によっても水搬送部１における良好な水搬送が達成されることになり、しかも、酸素供給装置Ｘを移動させる推進力となり水溜め部Ｐを移動しながら酸素を供給することができる。
【０１１３】
よって、本実施例によれば、酸素濃度が低い水溜め部Ｐの水底側へ酸素量の高い水面付近の水Ｗを搬送することができ、よって、水溜め部Ｐを水生生物を育成するに適した環境にすることができる。
【０１１４】
また、本実施例は、水搬送部１は、下端部が水溜め部Ｐ内に配される筒状体３であり、筒状体３には、回転駆動源10により回転し外周に螺旋部２ａが設けられた回転軸部２が内装され、回転駆動源10により回転軸部２が回転することで、回転軸部２の外周に設けられた螺旋部２ａが回転し、水溜め部Ｐの水面付近の水Ｗを筒状体３内を通過させて該水溜め部Ｐの水底側へ搬送するように構成されているから、酸素濃度が低くなる水溜め部Ｐの水底側へ酸素量の豊富な水面付近の水Ｗを確実に搬送することができる。
【０１１５】
また、本実施例は、水搬送部１は水平面から所定角度Ｒの傾斜状態で配されるように構成されており、仮に水搬送部１が鉛直状態だった場合に比して回転軸部２に掛かる負荷が少ない為、比較的力の少ない回転駆動源10でも確実に回転させることができ、しかも、簡易構造故にコスト安にして量産性に秀れることになる。
【０１１６】
また、本実施例は、酸素供給装置Ｘは水溜め部Ｐの水面に浮くように構成されているから、水溜め部Ｐの任意の位置へ酸素供給装置Ｘを配することができる。
【０１１７】
また、本実施例は、水搬送部１は水平面に対して約２５〜６０度の下向き傾斜状態で設けられているから、前述した作用効果を確実に奏することになる。
【０１１８】
また、本実施例は、回転軸部２の下端部にはスクリュー部４が設けられているから、より一層水Ｗを下方へ良好に搬送することができ、しかも、水溜め部Ｐ内を移動しながら水Ｗに酸素を供給することができる。
【０１１９】
また、本実施例は、水搬送部１で搬送する水溜め部Ｐの水面付近の水Ｗ若しくは水搬送部１内の水Ｗに微細な気泡を発生させる微細気泡発生部20が設けられているから、より一層酸素濃度の高い水Ｗを水底側に供給することができ、多くの水生生物を良好に育成することができる。
【０１２０】
＜別構成例＞
図11は、水溜め部Ｐの上部に電気を供給する主電線25が設けられ、この主電線25から分岐される分岐電線26が回転駆動源10（電気モーター）に連設した別構成例である。
【０１２１】
この主電線25は、水溜め部Ｐの対向する岸部（水溜め部Ｐの周辺部）に設けられる支柱28同士間に架設されており、水溜め部Ｐの水面から上方所定位置に横設されている。
【０１２２】
従って、この主電線25と分岐電線26を介して供給される電気により電気モーター10は作動することになり、しかも、この主電線25と分岐電線26との連設部27を支点に酸素供給装置Ｘは水溜め部Ｐを移動（円運動）しながら酸素を供給することになる（図12参照）。
【０１２３】
また、本実施例は、水搬送部１で搬送する水溜め部Ｐの水面付近の水Ｗに空気を供給するコンプレッサー29を有している。
【０１２４】
具体的には、図11に図示したように基体15にコンプレッサー29（圧縮空気発生装置）を設け、このコンプレッサー29には空気供給管29ａが設けられ、この空気供給管29ａは該コンプレッサー29から導出される空気を水溜め部Ｐの水面付近の水Ｗへ供給するように構成されている。
【０１２５】
このコンプレッサー29は分岐電線26に連設されており、主電線25と分岐電線26を介して供給される電気によりコンプレッサー29は作動する。
【０１２６】
また、図13は、水溜め部Ｐの周辺部所定位置にコンプレッサー30（圧縮空気発生装置）を設けた場合であり、このコンプレッサー30には空気供給管30ａが設けられ、この空気供給管30ａは該コンプレッサー30から導出される空気を水溜め部Ｐの水面付近の水Ｗ（水溜め部Ｐを移動する酸素供給装置Ｘが通過する部位）へ供給するように構成されている。
【０１２７】
このコンプレッサー30は主電線25に連設されており、この主電線25を介して供給される電気によりコンプレッサー30は作動する。
【０１２８】
その余は実施例１と同様である。
【符号の説明】
【０１２９】
Ｐ  水溜め部
Ｒ  角度
Ｗ  水
Ｘ  酸素供給装置
１  水搬送部
２  回転軸部
２ａ  螺旋部
３  筒状体
４  スクリュー部
５  折曲部
６  基体
７  回転体
７ａ  孔
10  回転駆動源
20  微細気泡発生部
20ａ  電極
20ｂ  電極
25  主電線
26  分岐電線
29  コンプレッサー
【図１】
2020178682.tif 000003
【図２】
2020178682.tif 000004
【図３】
2020178682.tif 000005
【図４】
2020178682.tif 000006
【図５】
2020178682.tif 000007
【図６】
2020178682.tif 000008
【図７】
2020178682.tif 000009
【図８】
2020178682.tif 000010
【図９】
2020178682.tif 000011
【図１０】
2020178682.tif 000012
【図１１】
2020178682.tif 000013
【図１２】
2020178682.tif 000014
【図１３】
2020178682.tif 000015